(57)【要約】      （修正有）【課題】磁性板のあらゆる箇所にソフトブロック体を磁着させることが可能であり、カラフルな装飾片の磁着ソフトブロック体と磁性体表面への描画によって、多彩な像形成が繰り返し可能となる興趣に富んだ磁着遊具を提供する。【解決手段】両面に磁性を持つ平面体を有する化粧板と、前記化粧板を安全に支える支持台５と、前記磁性を持つ化粧板に磁着可能であるソフトブロックの裏面に磁性体シートを貼りつけて、ブロック全体として色調と形状とを種々異なっているソフトブロック体３と、から構成されるソフトブロック磁着板遊具である。【選択図】図１
0003224422.tif 000002
【実用新案登録請求の範囲】
【請求項１】
両面に磁性を持つ平面体を有する化粧板と、前記化粧板を安全に支える支持台と、前記磁性を持つ化粧板に磁着可能であるソフトブロックの裏面に磁性体シートを貼りつけて、ブロック全体として色調と形状とを種々異なっているソフトブロック体と、から構成されることを特徴とするソフトブロック磁着遊具。
【請求項２】
前記両面に磁性を持つ平面体を有する化粧板は、マグネット体を吸着させることができる２０〜５００μｍ厚さの紙、又は樹脂フィルムの表装材と、２５〜２００μｍ厚さのスチール箔を張った磁着の材料とを、厚さ５〜３０ｍｍ、縦５００〜１０００ｍｍ、横１０００〜２０００ｍｍの木質板材の両面に接着剤を用いて貼着したサンドイッチ状積層体であって、前記化粧板の両面に強力な磁気吸着力を発揮できる強磁性体を有し、前記化粧板の下部の中心部には、５〜３０ｍｍの溝部が両面に設けており、前記溝部に前記支持台を嵌め込みことで、前記化粧板を固定して縦に立てて使用されることを特徴とする請求項１に記載のソフトブロック磁着遊具。
【請求項３】
前記化粧板に使用される木質板材は、パーチクルボード、ＭＤＦ，フラッシュボードであって、前記表装材とスチール箔とからなる化粧板のサンドイッチ状五層積層体を前記木質板材への接着性を向上させて、前記五層積層体になった厚板材の化粧板表面に描画できる耐油性及び耐水性の２５〜１００μｍの表面処理した紙シート又は樹脂フィルムの描画可能な表装材を貼っていることを特徴とする請求項２に記載のソフトブロック磁着遊具。
【請求項４】
前記ソフトブロック体は、厚さ１０〜５０ｍｍの軽量の発砲スチロール、ウレタンフォーム、エラストマーの材質であって、縦横長さの最大を２０〜５００ｍｍにして、形状としては正方形、長方形、三角形、六角形である多角形、円形、楕円形、瓢箪形、ハート形、中心部刳り抜きの正方形、又は動物、植物、乗物等の形象物を模した形状の板状物であって、色調をすべての色彩であり、裏平面に１〜３ｍｍの厚さの磁性シートを全面から１／３以上に貼りつけていることを特徴とする請求項１〜請求項３のいずれかに記載のソフトブロック磁着板遊具。
【請求項５】
裏平面に貼りつける磁性シートは、フェライト系、希土類系磁石の粉末を樹脂、又はゴムとの混合したシート体にしたものでありソフトブロック体の裏面に、残留磁束密度（Ｂｒ）＝１〜１３ｋＧ，  保磁力（Ｈｃ）＝１〜１０ｋＯｅ、をもっているフェライト系、希土類系を使用していることを特徴とする請求項１〜請求項４のいずれかに記載のソフトブロック磁着遊具。
【請求項６】
描画可能な磁性を持つ化粧板は、前記表装材の表面を耐油性及び耐水性の樹脂を塗布した表面処理の紙シート又は樹脂フィルムにして、ペン先部材として適用した筆記具又は塗布具の何れかより選ばれる少なくとも一種である消去できる筆記用具によって文字、及び図を描画できるようになっていることを特徴とする請求項２、又は請求項３に記載のソフトブロック磁着板遊具。
【考案の詳細な説明】
【技術分野】
【０００１】  本考案は、幼児の磁着玩具セットとして、装飾ブロックと磁性板からなる玩具磁着セットであって、子供、幼稚園に通い出す前の年齢の子供を対象とした安全・安心な幼児用玩具用ソフトブロック磁着遊具に関する。
【背景技術】
【０００２】  従来、二部材の磁着を用いた玩具が複数存在しており、例えば、被磁着シート上に種々の形状からなる装飾片を磁着させて遊ぶ磁着パズル玩具が開示されている（特許文献１参照）。【０００３】  前記パズル玩具は、磁石シートからなる複数の装飾部品を組み合わせて磁着体板上に磁着していくことで種々の図形を形成できるものであるが、磁石を貼り付ける単調なパズル遊びを行うことしかできないものである。他の玩具として、筆記用具と字消し具を用いた書き消しが可能なボードの裏面に磁石を備えた移動機構を設け、ボード表面の特定箇所に磁石付人形を磁着させることが可能なイラストボードが提案されている（特許文献２参照）。【０００４】  前記イラストボードは、筆記用具によるボード面への描画と、該ボードに磁着させた人形を一定の軌道で動かすことが可能であるため、人形の軌道に合わせた種々の情景をボードに描くことで、各背景中を人形が動くシーンを再現できるものである。前記イラストボードは描画を書き換える度に字消し具で消去する必要がある。また周囲を汚したり書き換えの手間が掛かるものであるとともに、磁着部分が限られるためにボード全面を有効に使うことができないものであった。【０００５】幼児が遊ぶための合成樹脂（プラスチック）製の様々な幼児用玩具が、おもちゃ店で販売されている。幼児は、おもちゃ店で購入した合成樹脂製の幼児用玩具を使用して遊ぶことになる。（特許文献３参照）。【０００６】合成樹脂より成る玩具本体と、前記玩具本体の内部に全体的に混ざり込んでいる複数の鉄粉とを備えており、前記玩具本体が磁石板の接近により前記磁石板に吸着される様に前記合成樹脂の内部に全体的に亘って混入された前記複数の鉄粉により、前記玩具本体を成す前記合成樹脂は前記複数の鉄粉が混入されていない場合と比較して全体的に変色している幼児用玩具が提案されている（特許文献４参照）。【０００７】磁性を有する支持体からなる磁性板と、前記磁性板に磁着可能である支持体表面に低屈折率顔料をバインダー樹脂に分散状態に固着させた吸液状態と非吸液状態で透明性を異にする多孔質層を設けてなる複数の装飾片とからなり、前記磁性板表面の色調と装飾片表面の色調が異なるように構成される磁着玩具セットが提案されている（特許文献５参照）。【０００８】円形棒状の磁石スティックと金属球で構成された磁石玩具において、磁性体で軟質金属からなるコアと、コアの両端面を除外した外周面を取り囲む合成樹脂外皮と、コアの両端面に各々密着される一対の円盤形永久磁石と、中央部に貫通孔が形成されている前記永久磁石の外側先端面縁に内面が密着される丸状内側フランジの外周縁部から直立延長されて前記外皮の両外周面に内周面が密着結合される円筒形体からなる磁石固定キャップとで構成された多数の磁石スティックと前記永久磁石によって磁石スティックの両端面に反復可能に付着できる多数の磁性体金属球とで構成される磁石玩具が提案されている（特許文献６参照）。【０００９】幼児、幼稚園等に適応して子供を対象とした創造的知能の増進に役立つ安全・安心である幼児向け玩具用ソフトブロックの組み立て磁着板の遊具セットについては存在していない。
【先行技術文献】
【特許文献】
【００１０】
【特許文献１】実用新案登録第３０４６１９６号公報
【特許文献２】実開平４−９９９９８号公報
【特許文献３】特開２００１−１４９６６５号公報
【特許文献４】特開２０１３−１１１４７３号公報
【特許文献５】特開２０１０−０４６３８１号公報
【特許文献６】特表２００６−５２７００６号公報
【考案の概要】
【考案が解決しようとする課題】
【００１１】  本考案は、磁性板のあらゆる箇所に装飾片の磁性体を付けたソフトブロックを磁着させることが可能であり、カラフルな装飾的形状の異なるソフトブロックの磁着と該装飾片のソフトブロックの周囲に描画することによって、周囲を汚すことなく多彩な像形成が繰り返し可能となる興趣に富んだ磁着可能なソフトブロックを磁着できる遊具セットを提供するものである。【００１２】  一般的には、幼児は、幼児用玩具を用いて遊んだ後は、使用した幼児用玩具を自らおもちゃ箱の中に入れて片付けることをしない場合が多い。そのため、幼児用玩具の使用後には、安全な遊具が必要であり、幼児用玩具が部屋内に散在した状態となる。遊具によって脳の活性化と創造力の向上に役立たせることが期待されている。さらに子供の散らかし後に親等が、部屋内に散らばった幼児用玩具を一つずつ手で拾い回って回収した遊具に対して、おもちゃ箱の中に入れて片付けさせられることが少なくなっている。【００１３】  この考案は、斯かる状況に鑑みて成されたものであり、子供、幼児が幼児用遊具で創作的に遊んだ後に室内に幼児用玩具を放置したために、散在した幼児用玩具の面倒な回収作業を容易化・効率化して回収作業の面倒くさを改善するとともに、装飾片の磁性体を付けたソフトブロックを磁着させることによって子供の想像力を高める遊戯具として利用できることを目的とするものである。
【課題を解決するための手段】
【００１４】  両面に磁性を持つ平面体を有する化粧板と、前記化粧板を安全に支える支持台と、前記磁性を持つ化粧板に磁着可能であるソフトブロックの裏面に磁性体シートを貼りつけて、ブロック全体として色調と形状とを種々異なっているソフトブロック体と、から構成されるソフトブロック磁着遊具である。【００１５】前記両面に磁性を持つ平面体を有する化粧板は、マグネット体を吸着させることができる２０〜５００μｍ厚さの紙、又は樹脂フィルムの表装材と、２５〜２００μｍ厚さのスチール箔を張った磁着の材料とを、厚さ５〜３０ｍｍ、縦５００〜１０００ｍｍ、横１０００〜２０００ｍｍの木質板材の両面に接着剤を用いて貼着したサンドイッチ状積層体であって、前記化粧板の両面に強力な磁気吸着力を発揮できる強磁性体を有し、前記化粧板の下部の中心部には、５〜３０ｍｍの溝部が両面に設けており、前記溝部に前記支持台を嵌め込みことで、前記化粧板を固定して縦に立てて使用される。【００１６】前記化粧板に使用される木質板材は、パーチクルボード、ＭＤＦ，フラッシュボードであって、前記表装材とスチール箔とからなる化粧板のサンドイッチ状五層積層体を前記木質板材への接着性を向上させて、前記五層積層体になった厚板材の化粧板表面に描画できる耐油性及び耐水性の２５〜１００μｍの表面処理した紙シート又は樹脂フィルムの描画可能な表装材を貼っている。【００１７】前記ソフトブロック体は、厚さ１０〜５０ｍｍの軽量の発砲スチロール、ウレタンフォーム、エラストマーの材質であって、縦横長さの最大を２０〜５００ｍｍにして、形状としては正方形、長方形、三角形、六角形である多角形、円形、楕円形、瓢箪形、ハート形、中心部刳り抜きの正方形、又は動物、植物、乗物等の形象物を模した形状の板状物であって、色調をすべての色彩であり、裏平面に１〜３ｍｍの厚さの磁性シートを全面から１／３以上に貼りつけている。【００１８】裏平面に貼りつける磁性シートは、フェライト系、希土類系磁石の粉末を樹脂、又はゴムとの混合したシート体にしたものでありソフトブロック体の裏面に、残留磁束密度（Ｂｒ）＝１〜１３ｋＧ，  保磁力（Ｈｃ）＝１〜１０ｋＯｅ、をもっているフェライト系、希土類系を使用している。【００１９】描画可能な磁性を持つ化粧板は、前記表装材の表面を耐油性及び耐水性の樹脂を塗布した表面処理の紙シート又は樹脂フィルムにして、ペン先部材として適用した筆記具又は塗布具の何れかより選ばれる少なくとも一種である消去できる筆記用具によって文字、及び図を描画できるようになっている。【００２０】前記磁性板となる磁性を有する支持体とは、少なくとも表面にフェライト、希土類磁石（マグネット）がシート状で磁着（吸着）できるものであれば汎用の磁性体を用いることができる。具体的には、鉄、コバルト、ニッケル、マグネタイト、マンガンフェライト、ニッケルフェライト、コバルトフェライト、バリウムフェライト、ニッケル亜鉛フェライト、銅亜鉛フェライト、マンガン亜鉛フェライト、マグネシウム亜鉛フェライト、ネオジュム系、サマリウム系等が挙げられ、これらを樹脂、ゴムに混合して着色させたものも使用できる。また、前記磁性体のシートは少なくとも一種以上で用いら��、磁化された状態のものであっても使用できる。【００２１】  前記支持体としては、前述の磁性体を板状（箔状も含む）で直接使用する他、粉状磁性体をゴム類や他の樹脂組成物中に分散してシート状、板状、表面凹凸状等の成形体として適用することができる。また、前記支持体として、任意の基材に前記板状（箔状）磁性体を貼付したり、粉状磁性体を分散した塗布液やシート等を塗布、貼着することにより磁性層を設けたものを用いることもできる。【００２２】  更に、前記各層の間には着色層を介在させることもできる。これにより多孔質層が吸液状態となった際に視認される色調を多様化することができ、しかも、図柄や模様等の形態（像）で着色層を形成することも可能となるため、より付加価値を高めることができる。【００２３】  前記装飾片の形状は特に限定されるものではなく、好ましくは正方形、長方形、三角形、六角形等の多角形、円、楕円、瓢箪形、星形、三日月形、ハート形、その他動物、植物、乗物等の形象物を模した形状の板状物や立体物を用いることができる。特に、多角形を用いる場合、安全性をより高めるために、頂点の鋭角部を面取することや、曲面状とすることが好ましい。
【考案の効果】
【００２４】磁性板のあらゆる箇所に装飾片の磁性体を付けたソフトブロックを磁着させることが可能なって、カラフルな装飾的形状の異なるソフトブロックの磁着と該装飾片のソフトブロックの周囲に描画することによって、ソフトブロックの配置、組み立てによって磁性体表面に創作的な模様を組み立て、更に描画によって一層に興味ある形状体に仕上げて、創作意欲を高める働きを持った。また玩具類の周囲を汚すことなく多彩な像形成が繰り返し可能となる興趣に富んだ磁着可能なソフトブロックを磁着できた。【００２５】幼児用遊具を使用する者は、室内にソフトブロックを磁着させる合成樹脂製の幼児用遊具に、手で保持したブロックに付着した磁性体を近づけると吸着を行い、幼児用遊具に対して安全、安心に各々を磁石の磁力により当該磁石に確実に吸い付けていくことが出来るので、一つずつ幼児用遊具を拾い上げる動作をする。装飾片の磁性体を付けたソフトブロックを磁着させることによって子供の想像力を高める遊戯具として利用できる。
【図面の簡単な説明】
【００２６】
【図１】本考案のソフトブロック磁着板遊具を示す斜視図である。Ａ：平面  Ｂ：側面  Ｃ：斜視
【図２】本考案のソフトブロック磁着板遊具の各部品を示す斜視図である。Ａ：磁性板  Ｂ：支持台  Ｃ：磁性ソクトブロック  Ｄ：組み立て
【図３】本考案のソフトブロック磁着板遊具セットのソフトブロックの種類を示す斜視図である。
【図４】本考案のソフトブロック磁着板遊具の使用状態を示す斜視図である。
【考案を実施するための形態】
【００２７】本考案の磁着玩具は、磁性を有する支持体からなる描画可能な磁性板と、該磁性板に磁着可能な複数の装飾片とから構成されており、磁性板と装飾片のソフトブロックとが磁性板の表面の色調を異にするものである。
【００２８】前記磁性板について説明する。支持台付き磁性板と装飾のソフトブロックと筆記又は塗布具、スポンジ、スタンプ具、を例示でき、磁着遊具セットに組み合わせることができる。
【実施例１】
【００２９】  図１に示すように、両面に磁性を持つ平面体を有する描画可能な磁性板と、前記磁性板を安全に支える支持台と、前記磁性板に磁着可能であるウレタンフォーム体のソフトブロックの裏面に磁性体シートを貼りつけて、ブロック全体として色調と形状とを種々異なっているソフトブロック体と、から構成されるソフトブロック磁着板遊具である。【００３０】両面に磁性を持つ平面体を有する磁性板は、中心部に２０ｍｍ厚板材でその両面にマグネット体を吸着させることができる、２０μｍ厚さの紙に表面処理した表装材と、５０μｍ厚さのスチール箔を張った化粧板材を、高さ９００ｍｍ、長さ１８００ｍｍの木質板材の両面に挟んだサンドイッチ状三層積層体を、前記厚板材の両面に接着剤によって貼着した、前記厚さの化粧板材の両面に強力な磁気吸着力を発揮させる強磁性体をもつ化粧厚板材で、前記磁性板を縦に立てて使用するために前記磁性板の両端の下部に、厚さ５０ｍｍ、幅４００ｍｍの木質材の中央部に２０ｍｍの幅で切り込んだ溝部を設けた支持台で固定されている。【００３１】前記厚板材は、図２Ａに示すようにＭＤＦであって、前記の表装材とスチール箔とからなる化粧材のサンドイッチ状三層積層体を前記厚板材への接着性を向上させて、前記厚板材の化粧板表面に描字できる耐水性の２０μｍの紙シート又は樹脂フィルムの表装材を貼った。【００３２】前記ソフトブロック体は、図２Ｃ示すような厚さ２０ｍｍのウレタンフォームであって、縦横長さを３０〜１５０ｍｍの範囲にして、形状としては正方形、長方形、三角形、円形、中心部刳り抜きの正方形、乗り物と動物を模した形状の板状物であって、色調をすべての原色の赤、緑、青、黄、白、黒であり、裏平面に半分〜２／３程度１．５ｍｍの厚さのフェライト系磁性シートを貼りつけた。【００３３】裏平面に貼りつける磁性シートは、磁石としてはフェライト系の粉末を樹脂、又はゴムとの混合したシート体にしたものでありソフトブロック体の裏面に、保磁力（Ｈｃ）＝２ｋＯｅ、もっているフェライト系を使用した。【００３４】描字可能な磁性板は、ペン先部材として適用した筆記用具によって文字、図を描画して、図４に示すようにソフトブロックの組み立て模様を盛り上げた。
【実施例２】
【００３５】実施例１と同様にして  図１に示すように、両面に磁性を持つ平面体を有する描画可能な磁性板と、前記磁性板を安全に支える安定保持支持台と、前記磁性板に磁着可能であるウレタンフォーム体のソフトブロックの裏面に磁性体シートを貼りつけて、ブロック全体として色調と形状とを種々異なっているソフトブロック体と、から構成されるソフトブロック磁着板遊具である。【００３６】両面に磁性を持つ平面体を有する磁性板は、中心部に２５ｍｍ厚板材でその両面にマグネット体を吸着させることができる、２５μｍ厚さの樹脂フィルムの表装材と、１００μｍ厚さのスチール箔を張った化粧板材を、高さ９００ｍｍ、長さ１２００ｍｍの木質板材の両面に挟んだサンドイッチ状三層積層体を、前記厚板材の両面に接着剤によって貼着した、前記厚さの化粧板材の両面に強力な磁気吸着力を発揮させる強磁性体をもつ化粧厚板材で、前記磁性板を縦に立てて使用するために、磁性板の両端に図２Ｂに示すように両端に厚さ５０ｍｍ、幅３００ｍｍの木質材の中央部に２５ｍｍの幅で切り込んだ溝部を設けた支持台で固定されている。【００３７】前記厚板材は、図２Ａに示すようにＭＤＦであって、前記の表装材とスチール箔とからなる化粧材のサンドイッチ状三層積層体を前記厚板材への接着性を向上させて、前記厚板材の化粧板表面に描字できる耐水性の２５μｍの紙シート又は樹脂フィルムの表装材を貼った。【００３８】前記ソフトブロック体は、図２Ｃ示すような厚さ２０ｍｍのウレタンフォームであって、縦横長さを２０〜１００ｍｍの範囲にして、形状としては正方形、長方形、三角形、円形、中心部刳り抜きの正方形を模した形状の板状物であって、色調をすべての原色の赤、緑、青、黄、白、黒であり、裏平面に半分程度１．５ｍｍの厚さのフェライト系磁性シートを貼りつけた。【００３９】裏平面に貼りつける磁性シートは、磁石としてはフェライト系の粉末を樹脂、又はゴムとの混合したシート体にしたものでありソフトブロック体の裏面に、保磁力（Ｈｃ）＝４ｋＯｅ、もっているフェライト系を使用した。【００４０】描字可能な磁性板は、ペン先部材として適用した筆記用具によって文字、図を描画して、図４に示すようにソフトブロックの組み立て模様を盛り上げた。
【符号の説明】
【００４１】  １  ソフトブロック磁着遊具
２  磁性板
３  ソフトブロック体
４  ペン（水付着手段）
５  支持台
６  描画
７  消去材
８  化粧板
９  磁性体シート
１０  厚板材
【図１】
0003224422.tif 000003
【図２】
0003224422.tif 000004
【図３】
0003224422.tif 000005
【図４】
0003224422.tif 000006